(57)【特許請求の範囲】
【請求項１】
ボイド管本体と、
前記ボイド管本体から引き抜き可能に前記ボイド管本体に螺旋状に巻き付けた中間部材と、
前記中間部材を介して前記ボイド管本体に螺旋状に巻き付けたテープ部材と、を有し、
前記テープ部材は、一方側の側縁端が互いに重なるように巻き付けられており、
前記テープ部材の重なり部分は、接着剤により固定されており、
前記テープ部材と前記ボイド管本体とが接触する面は、接着固定されておらず、
前記中間部材を前記ボイド管本体に間隔を空けて巻き付けることにより、前記ボイド管本体と前記テープ部材との間に第1の空隙部が設けられることを特徴とするボイド管。
【請求項２】
前記中間部材を引き抜くことにより、前記ボイド管本体と前記テープ部材との間に第2の空隙部が生じ、前記ボイド管本体と前記テープ部材が離間されるように構成されることを特徴とする請求項１に記載のボイド管。
【請求項３】
前記テープ部材の巻付ピッチは、前記中間部材の巻付ピッチよりも大きいことを特徴とする請求項１又は２に記載のボイド管。
【請求項４】
前記テープ部材は、前記ボイド管本体が前記テープ部材から分離可能に前記ボイド管本体に巻き付けられていることを特徴とする請求項１〜３のいずれか一項に記載のボイド管。
【請求項５】
前記中間部材は、線材、又はテープ材から成ることを特徴とする請求項１〜４のいずれか一項に記載のボイド管。
【発明の詳細な説明】
【技術分野】
【０００１】
本発明は、コンクリートに穴を開けるために使用したボイド管をコンクリートより容易に抜き取ることが出来る様にしたボイド管に関する。
【背景技術】
【０００２】
従来、コンクリートを用いて工事を行う際に、コンクリートに穴を開ける作業では、ボイド管を設置して、その周囲にコンクリートを流し込み、その後で、ボイド管を抜き取ることで、コンクリートに穴を設けている。コンクリートからボイド管を取り除く際には、専用の工具を使いボイド管を変形させたり、破ったりしながらコンクリとから引きはがしたり又はバールを使ってコンクリートより出ている突設を叩いてボイド管の内側に寄せて抜き取っている。
【発明の概要】
【発明が解決しようとする課題】
【０００３】
ボイド管はコンクリートが硬化した後ボイド管がコンクリートに接着したような状態になってしまうため、ボイド管を変形させたり破ったりしながらコンクリートから引きはがしてボイド管を除去している。
【０００４】
コンクリートからボイド管を壊さずに簡単に取り除くことが出来るボイド管を提供する事を課題とする。
【課題を解決するための手段】
【０００５】
本発明に係るボイド管は、ボイド管本体と、前記ボイド管本体から引き抜き可能に前記ボイド管本体に螺旋状に巻き付けた中間部材と、前記中間部材を介して前記ボイド管本体に螺旋状に巻き付けたテープ部材とを有する。また、前記テープ部材は、一方側の側縁端が互いに重なるように巻き付けられており、前記テープ部材の重なり部分は、接着剤により固定されており、前記ボイド管本体と前記テープ部材との間には、空隙部が設けられていることを特徴とする。
【０００６】
本発明に係るボイド管では、コンクリートを流し込んだ後に、中間部材を引き抜き、ボイド管本体とテープ部材との間に空隙部を設けることにより、簡単にボイド管を引き抜くことができる。ボイド管を用いることで、ボイド管専用の工具やバールを使ってボイド管を破ったり、叩いたりする作業が不要となり、コンクリートの成形穴を簡単に形成することができる。
【０００７】
また、本発明に係るボイド管において、前記テープ部材の巻付ピッチは、前記中間部材の巻付ピッチよりも大きいことを特徴としてもよい。
【０００８】
本発明に係るボイド管では、テープ部材の巻付ピッチよりも、中間部材の巻付ピッチが小さく設定されているので、中間部材の上にテープ部材を巻き付けた際に、中間部材によってテープ部材が支持され、テープ部材の表面の凹凸が低減される。また、中間部材の上にテープ部材を巻き付けた際にテープ部材のたるみも低減することができる。この結果、コンクリートを流し込んだ後に、中間部材の引き抜きが容易となる。
【０００９】
また、本発明に係るボイド管において、前記テープ部材は、前記ボイド管本体が前記テープ部材から分離可能に前記ボイド管本体に巻き付けられていることを特徴としてもよい。本発明に係るボイド管では、ボイド管本体を、テープ部材から分離して、簡単にボイド管を引き抜くことができる。
【００１０】
また、本発明に係るボイド管において、前記中間部材は、線材、又はテープ材から成ることを特徴としてもよい。
【発明の効果】
【００１１】
本発明のボイド管を使用する事によって、ボイド管専用の工具やバールを使ってボイド管を破ったり、叩いたりする作業の負担もかけずに容易に抜き取ることが出来、作業の軽減と効率化が図れる。
【図面の簡単な説明】
【００１２】
【図１】図１は、本発明の実施形態に係るボイド管の概略図を示す図である。
【図２】図２は、本発明の実施形態に係るボイド管の側面図を示す図である。
【図３】図３は、本発明の実施形態に係るボイド管における断面図を示す図である。図３（ａ）は、本発明の実施形態に係るボイド管における図２のＩＩＩ−ＩＩＩ線に沿った断面図である。図３（ｂ）は、図３（ａ）のＡ部の拡大図である。
【図４】図４は、本発明の実施形態に係るボイド管における図２のＩＶ−ＩＶ線断面図である。
【図５】図５は、本発明の実施形態に係るボイド管の使用状態を説明するための図である。図５（ａ）は、ボイド管をコンクリートで固めた状態を説明するための断面図である。図５（ｂ）は、ボイド管の中間部材を抜いている時の状態を説明するための図である。
【図６】図６は、本発明の実施形態に係るボイド管の使用状態を説明するための図である。図６（ａ）は、ボイド管本体を抜いた後の状態を説明するための図である。図６（ｂ）は、ボイド管本体を抜いた後にテープ部材を取り除いた状態を説明するための図である。
【発明を実施するための形態】
【００１３】
添付図面を参照しながら本発明のボイド管に係る実施形態を説明する。可能な場合には、同一の部分には同一の符号を付する。
【００１４】
図1に、本発明の実施形態に係るボイド管の概略図を示す。図２に、本発明の実施形態に係るボイド管の側面図を示す。
【００１５】
図１において、ボイド管１は、ボイド管本体２と、ボイド管本体２の外周に巻き付けたテープ部材３と、ボイド管本体２とテープ部材３との間に設けた中間部材５から構成されている。
【００１６】
ボイド管本体２は、例えば、クラフト紙など紙材を螺旋状に巻いた紙管からなることができる。ボイド管本体２の内径は、例えば５０ｍｍ〜４００ｍｍ程度であり、厚みは、２ｍｍ〜５ｍｍ程度とすることができる。
【００１７】
テープ部材３は、例えば、幅が５０ｍｍ〜２００ｍｍ程度の帯状のテープからなることができる。テープ部材３は、例えば、クラフト紙など紙材やビニールなどのプラスチック材からなることができる。また、テープ部材３の厚みは、０．２ｍｍ〜１．０ｍｍ程度とすることができる。
【００１８】
中間部材５は、ボイド管本体２とテープ部材３との間に配置され、ボイド管本体２の外周に巻き付けられており、例えば線材、又はテープ材から成ることができる。線材の場合は、例えば０．５ｍｍ〜２．０ｍｍ程度の太さであり、綿、麻、紙、金属、プラスチックなどの材料から構成することができる。また、テープ材から成る場合は、例えば、厚さが０．５ｍｍ〜２．０ｍｍ程度であり、幅が２．０〜１０ｍｍ程度であることができ、綿、麻、紙、金属、プラスチックなどの材料から構成することができる。
【００１９】
図１に示すように、ボイド管本体２とテープ部材３との間に中間部材５を設けることで、ボイド管本体２とテープ部材３との間に空隙部４ａが形成される。
【００２０】
図１及び図２に示すように、中間部材５は、ボイド管本体２の外周に、例えばピッチがボイド管本体２の外径の１／２程度となるように、螺旋状に巻き付けられている。中間部材５をボイド管本体２の外周に巻き付ける際は、ズレない程度に一定の張力で巻き付けることが好ましい。
【００２１】
図２に示したように、中間部材５をボイド管本体２の外周に巻き付けた後、中間部材５の一端は、ボイド管本体２の片端部から突出するように突出部５ａが形成されている。後で詳細に説明するが、本実施形態のボイド管１を用いて穴開け作業等を行うコンクリート工事において、コンクリートに埋め込まれたボイド管１を除去するために中間部材５を引き抜くときに、中間部材５の一端をボイド管本体２の片端部から突出するように形成することで、中間部材５を容易に引き抜くことができる。
【００２２】
また、テープ部材３は、中間部材５をボイド管本体２の外周に巻き付けた後、中間部材５の上から螺旋状にボイド管本体２の外周に巻きつけられている。本実施形態では、テープ部材３の巻き付け方向は、中間部材５の巻き付け方向と同じ方向にしてある。しかし、テープ部材３の巻き付け方向を、中間部材５の巻き付け方向と異なる方向にしてもよい。また、テープ部材３の巻き付けのピッチは、例えばボイド管本体２の外径の３／４程度とすることができる。本実施形態では、テープ部材３の巻き付けのピッチは、中間部材５の巻き付けのピッチよりも大きく設定している。テープ部材３をボイド管本体２の外周に巻き付ける際は、ズレない程度に一定の張力で巻き付けることが好ましい。
【００２３】
テープ部材３の巻付ピッチよりも、中間部材５の巻付ピッチが小さく設定されているので、中間部材５の上にテープ部材を巻き付けた際に、テープ部材３は、すくなくとも一つ以上の中間部材５の上に巻き付けることができる。この結果、中間部材５によってテープ部材３が、たわみなく確実に支持され、テープ部材の表面の凹凸を低減することができる。また、コンクリートを流し込んだ後に、中間部材を引き抜く際に、テープ部材の表面の凹凸に起因する抵抗を小さくできるので、中間部材を容易に引き抜くことができる。  
【００２４】
図３は、本発明の実施形態に係るボイド管１における断面図を示す図である。図３（ａ）は、ボイド管１の図２のＩＩＩ−ＩＩＩ線に沿った断面図を示している。図３（ｂ）は、図３（ａ）のＡ部の拡大図である。図３に示すように、テープ部材３は、巻き付けるときに、テープ部材３の幅方向の一方側の側縁端に接着剤９を塗布し、この一方側の側縁端を重ねて接着しながら螺旋状に巻き付ける。このテープ部材３を螺旋状に巻き付ける際に、テープ部材３同士が重なる重なり部分６の幅は、例えば２ｍｍ〜５ｍｍ程度とすることができる。このとき、図３（ｂ）に示したようにテープ部材３の他方側の端の表面は、ボイド管本体２の外周表面に接触しているが、テープ部材３の他方側の端の表面とボイド管本体２の外周表面とは、接着されておらず、テープ部材３がボイド管本体２の外周表面に対して可動可能に構成されている。
【００２５】
図４は、ボイド管１の図２のＩＶ−ＩＶ線に沿った断面図を示している。図４に示すように、中間部材５は、ボイド管本体２とテープ部材３の間に設けられて、空隙部４ａを形成している。ボイド管本体２にテープ部材３を巻き付けるときに、ボイド管本体２とテープ部材３とが中間部材５の太さ又は厚みに応じて離間し、空隙部４ａが形成される。つまり、この空隙部４ａが設けられることで、ボイド管本体２とテープ部材３とが離間し、接触しない面積が増加する。例えばコンクリートによりボイド管１が埋め込まれた後、中間部材５を抜いてからボイド管本体２を引き抜く際においても、ボイド管本体２とテープ部材３とが接触しない状態を維持できるので、ボイド管本体２とテープ部材３との間に摩擦力がより低下し、ボイド管本体２が抜きやすくなる。なお、テープ部材３は、コンクリートに貼りついた状態で残る。
【００２６】
図４において、テープ部材３同士が重なった重なり部分６が接着されて固定されて、テープ部材３がボイド管本体２の外周に巻き付けられている。一方、テープ部材３と中間部材５とが接触する面、テープ部材３とボイド管本体２とが接触する面、及び中間部材５とボイド管本体２とが接触する面は、接着剤等で接着固定されておらず、可動可能に形成されている。
【００２７】
図５は、本発明の実施形態に係るボイド管１の使用状態を説明するための図である。図５（ａ）は、ボイド管１をコンクリート７で固めた状態を説明するための断面図である。図５（ｂ）は、ボイド管１の中間部材５を抜いている時の状態を説明するための図である。図５（ａ）に示したように、コンクリート工事において、まず、ボイド管１を用いて穴開け作業等を行う際に、ボイド管１を設置した後、ボイド管１の周囲にコンクリート７を流し込んでボイド管１を固定する。その後、固定した状態で、コンクリート７が硬化するまでこの状態を保つ。
【００２８】
図５（ｂ）に示したように、コンクリート７が硬化したところでボイド管1をコンクリート７に固定した状態で、中間部材５（５ａ）を引き抜く。中間部材５は、ボイド管本体２に巻きつけて固定されており、テープ部材３は、中間部材５の上からボイド管本体２に巻き付けられており、共に接着剤等で固定されていないので、中間部材５を容易に引き抜くことができる。
【００２９】
図６は、引き続き本発明の実施形態に係るボイド管１の使用状態を説明するための図である。図６（ａ）は、ボイド管本体２を抜いた後の状態を説明するための図である。図６（ｂ）は、ボイド管本体２を抜いた後にテープ部材を取り除いた状態を説明するための図である。図６（ａ）に示したように、中間部材５を引き抜くと、ボイド管本体２とテープ部材３の間に空隙部４ｂができる。このように中間部材５を引き抜いた後も、ボイド管本体２とテープ部材３との間に空隙部４ｂが形成され、ボイド管本体２とテープ部材３とが接触しない領域を設けることができる。これにより、ボイド管本体２とテープ部材３との間に摩擦力がより低下し、ボイド管本体２が抜きやすくなる。このとき、テープ部材３は、コンクリート７に貼りついたままの状態で残っている。
【００３０】
図６（ｂ）に示したように、コンクリート７に貼りついたテープ部材３を剥がし、コンクリート７中に成型穴８が形成されて、コンクリート工事が完了する。
【００３１】
なお、コンクリート７に貼りついたテープ部材３をコンクリート７から剥がし易くするために、テープの外表面にコーティング剤を塗布してもよい。また、ボイド管１は、適宜、用途に応じて、切断して使用することができる。切断したときに、中間部材５の一端が、切断面の表面に露出しているので、この露出した中間部材５の一端を引き出して使用することができる。
【００３２】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００３３】
１    ボイド管
２    ボイド管本体
３    テープ部材
４ａ、４ｂ  空隙部
５    中間部材
５ａ  突出部
６    重なり部分
７    コンクリート
８    成型穴
９    接着剤
【要約】
【課題】ボイド管はコンクリートが硬化するとコンクリートに接着したような状態になってしまうため、専用の工具やバールを使ってボイド管をたたいて変形させたり、破ったりしながらコンクリートから引きはがしながら抜き取っているため、ボイド管の除去作業に時間を要している。
【解決手段】ボイド管（１）は、ボイド管本体（２）と、ボイド管本体（２）から引き抜き可能にボイド管本体（２）に螺旋状に巻き付けた中間部材（５）と、中間部材（５）を介してボイド管本体（２）に螺旋状に巻き付けたテープ部材（３）とを有する。テープ部材（３）は、一方側の側縁端が互いに重なるように巻き付けられており、テープ部材（３）の重なり部（６）は、接着剤により固定されており、ボイド管本体（２）とテープ部材（３）との間には、空隙部（４ａ）が設けられていることを特徴とするボイド管。
【選択図】図１【図１】
0006792917.tif 000002
【図２】
0006792917.tif 000003
【図３】
0006792917.tif 000004
【図４】
0006792917.tif 000005
【図５】
0006792917.tif 000006
【図６】
0006792917.tif 000007